(57)【要約】      （修正有）【課題】ドラムペダルの能力を最大限に発揮する為のビーターを提供する。【解決手段】ドラムペダル２９の運動能力を最大限に発揮することにより演奏性を向上させ、且つ、バスドラム本体から最大限の音を引き出すため、調節機能をドラムペダル本体に持たせず、ビーター１８に持たせたことによりどのメーカーのペダルにもビーター角度調整機能を持たせる、ビーター打撃部がドラムの革８に平行に当たらない場合、ビーター打撃部を調節し適正な位置に修正する。【選択図】図４
2014115601.tif 000002
【特許請求の範囲】
【請求項１】
バスドラム用ビーターの打撃部の長さを調整することができることを特徴とするビーター。
【請求項２】
ビーターの打撃部を交換可能にしたビーター。
【発明の詳細な説明】
【技術分野】
【０００１】本発明はバスドラム用ビーターに関する。
【背景技術】
【０００２】図１、（Ａ）２９は、ドラムペダルである。（Ｂ）７は、一般的なビーターである。（Ｃ）はバスドラム１２にセットされたドラムペダル２９の側面図である。（Ｄ）はバスドラム１２をドラマー側から見た正面図である。
ドラマーがフットボード１を矢印イの方向に踏むことにより発生した垂直方向の運動ネルギーは、フットボード１に連結したベルト（チェーン）３を通じてスプロケット（カム）６に伝達させられる。スプロケット（カム）６はやぐら２に取り付けられた回転シャフト４に固定されているため運動エネルギーは矢印ロの回転運動へと変化させられる。
其の時、一般的なビーター７を固定するハブ５も同じ回転シャフト４に固定されている為、スプロケット（カム）６及びハブ５と同じ回転運動をすることにより一般的なビーター７は、矢印ロの方向に運動し、ドラムの皮８を叩いてバスドラム１２の音を発生させる。【０００３】一般的なビーター７の先端にはバスドラムの革８を叩く為の打撃部ａ、１５と材質の異なる打撃部ｂ、１６がついている。
【発明が解決しようとする課題】
【０００４】（Ｅ）参照、一般的なビーター７が、バスドラム１２の音量を最大限に発生させ、且つ、最も効率的な反復連続運動をする為には、ビーターシャフト１３がドラムヘッド８に平行になる必要がある。
ドラマーは、一般的なビーター７が常にこの位置なることを望んでいるが、一般的なビーター７のドラムの革８に対する角度は、以下の４つの要素によって決まる為、理想の角度を得ることは不可能であった。
（Ｆ）参照、要素１、バスドラムフープ８がドラムペダル２９のボディーに接触する部分フープストッパー１０の位置、要素２、ビーター取り付け位置１４と回転シャフト４との距離、要素３、ビーターシャフト取り付け位置１４とビーター打撃部１８との距離、要素４、バスドラムフープ８の幅。
【０００５】ドラムペダルの製作方法及びドラムフープの幅には業界統一基準がないため各メーカーがそれぞれ自社の基準で作る為、ビーター７を常にドラムの革に平行にセットすることができなかった。又、一般的なドラムペダル２９には上記の要素を適合させる為の調整機能が備えられていない、従って、一般的なビーター７のビーターシャフト１３をドラムヘッド８に平行にさせることができない。この機能をドラムベダル本体に備えたドラムペダル２９も存在するが、ドラムペダル２９はドラマーにとって最も繊細な道具である為、ドラマーは、その機能の為だけにドラムペダル２９を変えることはできない。
ドラマーは、自分の志向や音楽の種類によって、どこのメーカーのバスドラム１２を使うか、どのドラムメーカーのドラムペダル２９にするか、どこのメーカーの一般的なビーター７を使うかを決めている。
その選択は、ビーターの打撃部ａ、１５がバスドラムの革８にあたる角度がその都度変わってしまうことを意味する。それにより、ドラムの音は変わってしまうばかりかドラマーにとっては、バスドラムの踏み心地が毎回変わってしまうことになり、ドラマーがその都度演奏方法を変化させなければならないという大きな問題を抱えている。
【０００６】又、一般的なビーター７は、演奏時に常にドラムの革８をうち続ける為に打撃部ａ、ｂ、１５、１６はその材質に関わらず常に摩耗してゆく。演奏上に問題があるほど摩耗した場合、ビーター７本体を交換しなければならなく、ドラマーにとってはコストのかかる部品であった。
【課題を解決しようとする手段】
【０００７】本発明は、ドラムペダル本体でなく一般的なビーター７自身に打撃部位置調整機能を持たせることにより、ドラマーの志向によりどこのメーカーのバスドラムでも、どのドラムメーカーのドラムペダル２９でも常にバスドラム１２から最大の音量と最速のビーター１８の反復運動を実現することができるビーターを提供することにある。
【０００８】又、アジャスタブルビーター１８の打撃部ａ、ｂ，２６、２７を着脱可能にすることにより摩耗により変形した打撃部ａ、ｂ，２６、２７のみを交換することができ、アジャスタブルビーター１８本体を変える必要がなくなり、コストを抑えることができる。
【実施例】
【０００９】図２（Ｈ）（Ｇ）（Ｉ）の様にビーター１８をコアビーター２０とビーターケース２１に分離させる。図３（Ｋ）（Ｌ）（Ｍ）参照、コアビーター２０は、打撃部ａ、２６とビーターコアシャフト２３、打撃部ｂ、２７の三つの部品で構成される、打撃部ａ、ｂには異なった打音や打感を得る為に材質の異なった物を採用している。一般的には一方をフェルト、一方をプラスチックまたは木を打撃部として取り付ける。ビーターコアシャフト２３の中心には打撃部取り付けネジ山２５をきり、打撃部ａ２６、打撃部ｂ２７を取り付ける。
図（Ｉ）のビーターケース２１の内側にもビーターコアシャフト収納用ネジ山２８を作り、コアビーター２０をビーターケース２１にねじ込んで収納できるようにする。図３（Ｌ）参照、ビーターコアシャフト２３にはコアビーター２０をビーターケース２１に固定する為のコアビーター固定ネジ用溝２４をもうける。場所は、図３（Ｌ）正面図に記されているように１２時、３時、６時、９時、或は、１２時、６時のみの位置に切っておく。
図２（Ｉ）参照、ビーター本体上部図のビーターケース２１にはコアシャフト２０を固定する為の図（Ｊ）コアビーター固定ネジ２２を１つ以上取り付ける為のビーターコアシャフト取り付けネジ山１９をきり、コアビーター固定ネジ２２でしっかりと固定する。【００１０】一般的なビーター７がドラムヘッド８に当たる角度は、前述した以下の４つの要素で決まる。要素１、バスドラムフープ８がドラムペダル２９のボディーに接触する部分フープストッパー１０の位置、要素２、ビーター取り付け位置１４と回転シャフト４との距離、要素３、ビーターシャフト取り付け位置１４とビーター打撃部１８との距離、要素４、バスドラムフープ８の幅。【００１１】図４のＡ１は、Ａ２の未調整のビーター１８を取り付けたドラムペダル２９をバスドラム１２に取り付けた側面図である。ドラムペダル２９がドラムの革８に対して接近しすぎているためビーター１８がドラムの革８に対して平行に当たることができない状態を示す。その場合は、コアビーター固定ネジ２２をゆるめた上でコアビーター２０を時計方向に回し（図４（Ｏ）参照）、コアビーター２０を矢印ニの方向に向かってビーターケース２１に押し込んでいく（図（Ｐ）参照）。ビーターシャフト１３が、図７のＢ１のようにドラムの革８に平行になる位置へ移動する。位置が確定した段階でコアビーター固定ネジ２２を締めてしっかり固定する。【００１２】図４のＣ１は、ドラムペダル２９がドラムの革８に対して遠くなってしまう為にビーターシャフト１３がドラムの革８に対して平行に当たることができない状態を示す。その場合は、コアビーター固定ネジ２２をゆるめた上でコアビーター２０を反対時計方向に回し（図（Ｒ）参照）、コアビーター２０をビーターケース２１から矢印ホの方向へ引き出してゆき（図（Ｓ）参照）、図７Ｄ１のようにビーターシャフト１３がドラムの革８に平行になる位置へ移動する。位置が確定した段階でコアビーター固定ネジ２２を閉めてしっかり固定する。【００１３】図３参照、コアビーター２０はビーターコアシャフト２３と打撃部ａ、２６と打撃部ｂ、２７で構成される。２３と打撃部ａ、２６と打撃部ｂ、２７は、それぞれの打撃部取り付けネジ１７をビーターコアシャフト２３の打撃部取り付けネジ山２５にねじ込むことによって取り付けられている。
ビーター１８の打撃部ａ、２６、打撃部ｂ、２７が摩耗した場合は、必要に応じて新しい物と取り替えることができるので、ビーター１８自身を購入する必要がなくコストを抑えることができる。
【図面の簡単な説明】
【図１】
【図２】
【図３】
【図４】
【符号の説明】  １  フットボード
２  やぐら
３  ベルト（チェーン）
４  回転センターシャフトシャフト
５  ハブ
６  スプロケット（カム）
７  一般的なビーター
８  ドラムの革
９  バスドラムフープ
１０  フープストッパー
１１  トゥークランプ
１２  バスドラム
１３  ビーターシャフト
１４  ビーター取り付け位置
１５  一般的ビーター打撃部ａ
１６  一般的ビーター打撃部ｂ
１７  打撃部取り付けネジ
１８  アジャスタブルビーター
１９  ビーターコアシャフト取り付けネジ山
２０  コアビーター
２１  ビーターケース
２２  コアビーター固定ネジ
２３  ビーターコアシャフト
２４  コアビーター固定用溝
２５  打撃部取り付けネジ山
２６  打撃部ａ
２７  打撃部ｂ
２８  ビーターコアシャフト収納用ネジ山
２９  ドラムペダル
【図１】
2014115601.tif 000003
【図２】
2014115601.tif 000004
【図３】
2014115601.tif 000005
【図４】
2014115601.tif 000006
【手続補正書】
【提出日】平成25年2月18日(2013.2.18)
【手続補正１】
【補正対象書類名】明細書
【補正対象項目名】全文
【補正方法】変更
【補正の内容】
【発明の詳細な説明】
【技術分野】
【０００１】
本発明はバスドラム用ビーターに関する。
【背景技術】
【０００２】
図１、（A）２９は、ドラムペダルである。（B）７は、一般的なビーターである。（C）はバスドラム１２にセットされたドラムペダル２９の側面図である。（D）はバスドラム１２をドラマー側から見た正面図である。
【０００３】
ドラマーがフットボード１を矢印イの方向に踏むことにより発生した垂直方向の運動ネルギーは、フットボード１に連結したベルト（チェーン）３を通じてスプロケット（カム）６に伝達させられる。
【０００４】
スプロケット（カム）６はやぐら２に取り付けられた回転シャフト４に固定されているため運動エネルギーは矢印ロの回転運動へと変化させられる。
【０００５】
其の時、一般的なビーター7を固定するハブ５も同じ回転シャフト４に固定されている為、スプロケット（カム）６及びハブ５と同じ回転運動をすることにより一般的なビーター7は、矢印ロの方向に運動し、ドラムの皮８を叩いてバスドラム１２の音を発生させる。
【０００６】
一般的なビーター7の先端にはバスドラムの革８を叩く為の打撃部a、１５と材質の異なる打撃部b、１６がついている。
【発明の概要】
【発明が解決しようとする課題】
【０００７】
（E）参照、一般的なビーター7が、バスドラム１２の音量を最大限に発生させ、且つ、最も効率的な反復連続運動をする為には、ビーターシャフト１３がドラムヘッド８に平行になる必要がある。
【０００８】
ドラマーは、一般的なビーター7が常にこの位置なることを望んでいるが、一般的なビーター7のドラムの革８に対する角度は、以下の４つの要素によって決まる為、理想の角度を得ることは不可能であった。
【０００９】
（F）参照、要素１、バスドラムフープ８がドラムペダル２９のボディーに接触する部分フープストッパー１０の位置、要素２、ビーター取り付け位置１４と回転シャフト４との距離、要素３、ビーターシャフト取り付け位置１４とビーター打撃部１８との距離、要素４、バスドラムフープ８の幅。
【００１０】
ドラムペダルの製作方法及びドラムフープの幅には業界統一基準がないため各メーカーがそれぞれ自社の基準で作る為、ビーター７を常にドラムの革に平行にセットすることができなかった。
【００１１】
又、一般的なドラムペダル２９には上記の要素を適合させる為の調整機能が備えられていない、従って、一般的なビーター7のビーターシャフト１３をドラムヘッド８に平行にさせることができない。
【００１２】
この機能をドラムベダル本体に備えたドラムペダル２９も存在するが、ドラムペダル２９はドラマーにとって最も繊細な道具である為、ドラマーは、その機能の為だけにドラムペダル２９を変えることはできない。
【００１３】
ドラマーは、自分の志向や音楽の種類によって、どこのメーカーのバスドラム１２を使うか、どのドラムメーカーのドラムペダル２９にするか、どこのメーカーの一般的なビーター7を使うかを決めている。
【００１４】
その選択は、ビーターの打撃部a、１５がバスドラムの革８にあたる角度がその都度変わってしまうことを意味する。
【００１５】
それにより、ドラムの音は変わってしまうばかりかドラマーにとっては、バスドラムの踏み心地が毎回変わってしまうことになり、ドラマーがその都度演奏方法を変化させなければならないという大きな問題を抱えている。
【００１６】
又、一般的なビーター7は、演奏時に常にドラムの革８をうち続ける為に打撃部a、b、１５、１６はその材質に関わらず常に摩耗してゆく。
【００１７】
演奏上に問題があるほど摩耗した場合、ビーター７本体を交換しなければならなく、ドラマーにとってはコストのかかる部品であった。
【課題を解決するための手段】
【００１８】
本発明は、ドラムペダル本体でなく一般的なビーター７自身に打撃部位置調整機能を持たせることにより、ドラマーの志向によりどこのメーカーのバスドラムでも、どのドラムメーカーのドラムペダル２９でも常にバスドラム１２から最大の音量と最速のビーター１８の反復運動を実現することができるビーターを提供することにある。
【００１９】
又、アジャスタブルビーター１８の打撃部a、b,２６、２７を着脱可能にすることにより摩耗により変形した打撃部a、b,２６、２７のみを交換することができ、アジャスタブルビーター１８本体を変える必要がなくなり、コストを抑えることができる。
【実施例】
【００２０】
図２（H）（G）（I）の様にビーター１８をコアビーター２０とビーターケース２１に分離させる。図３（K）（L）（M）参照、コアビーター２０は、打撃部a、２６とビーターコアシャフト２３、打撃部b、２７の三つの部品で構成される、打撃部a、bには異なった打音や打感を得る為に材質の異なった物を採用している。
【００２１】
一般的には一方をフェルト、一方をプラスチックまたは木を打撃部として取り付ける。ビーターコアシャフト２３の中心には打撃部取り付けネジ山２５をきり、打撃部a２６、打撃部b２７を取り付ける。
【００２２】
図（I）のビーターケース２１の内側にもビーターコアシャフト収納用ネジ山２８を作り、コアビーター２０をビーターケース２１にねじ込んで収納できるようにする。
【００２３】
図３（L）参照、ビーターコアシャフト２３にはコアビーター２０をビーターケース２１に固定する為のコアビーター固定ネジ用溝２４をもうける。
【００２４】
場所は、図３（L）正面図に記されているように１２時、３時、６時、９時、或は、１２時、６時のみの位置に切っておく。
【００２５】
図２（I）参照、ビーター本体上部図のビーターケース２１にはコアシャフト２０を固定する為の図（J）コアビーター固定ネジ２２を１つ以上取り付ける為のビーターコアシャフト取り付けネジ山１９をきり、コアビーター固定ネジ２２でしっかりと固定する。
【００２６】
一般的なビーター７がドラムヘッド８に当たる角度は、前述した以下の４つの要素で決まる。要素１、バスドラムフープ８がドラムペダル２９のボディーに接触する部分フープストッパー１０の位置、要素２、ビーター取り付け位置１４と回転シャフト４との距離、要素３、ビーターシャフト取り付け位置１４とビーター打撃部１８との距離、要素４、バスドラムフープ８の幅。
【００２７】
図４のA１は、A２の未調整のビーター１８を取り付けたドラムペダル２９をバスドラム１２に取り付けた側面図である。
【００２８】
ドラムペダル２９がドラムの革８に対して接近しすぎているためビーター１８がドラムの革８に対して平行に当たることができない状態を示す。
【００２９】
その場合は、コアビーター固定ネジ２２をゆるめた上でコアビーター２０を時計方向に回し（図４（O）参照）、コアビーター２０を矢印ニの方向に向かってビーターケース２１に押し込んでいく（図（P）参照）。
【００３０】
ビーターシャフト１３が、図７のB１のようにドラムの革８に平行になる位置へ移動する。位置が確定した段階でコアビーター固定ネジ２２を締めてしっかり固定する。
【００３１】
図４のC１は、ドラムペダル２９がドラムの革８に対して遠くなってしまう為にビーターシャフト１３がドラムの革８に対して平行に当たることができない状態を示す。
【００３２】
その場合は、コアビーター固定ネジ２２をゆるめた上でコアビーター２０を反対時計方向に回し（図（R）参照）、コアビーター２０をビーターケース２１から矢印ホの方向へ引き出してゆき（図（S）参照）、図７D１のようにビーターシャフト１３がドラムの革８に平行になる位置へ移動する。位置が確定した段階でコアビーター固定ネジ２２を閉めてしっかり固定する。
【００３３】
図３参照、コアビーター２０はビーターコアシャフト２３と打撃部a、２６と打撃部b、２７で構成される。
【００３４】
２３と打撃部a、２６と打撃部b、２７は、それぞれの打撃部取り付けネジ１７をビーターコアシャフト２３の打撃部取り付けネジ山２５にねじ込むことによって取り付けられている。
【００３５】
ビーター１８の打撃部a、２６、打撃部b、２７が摩耗した場合は、必要に応じて新しい物と取り替えることができるので、ビーター１８自身を購入する必要がなくコストを抑えることができる。
【図面の簡単な説明】
【００３６】
【図１】ドラムペダルの使われ方
【図２】アジャスタブルビーターの構造図
【図３】ビーター本体の構造図
【図４】ビーターの調整方法
【符号の説明】
【００３７】
１  フットボード
２  やぐら
３  ベルト（チェーン）
４  回転センターシャフトシャフト
５  ハブ
６  スプロケット（カム）
７  一般的なビーター
８  ドラムの革
９  バスドラムフープ
１０  フープストッパー
１１  トゥークランプ
１２  バスドラム
１３  ビーターシャフト
１４  ビーター取り付け位置
１５  一般的ビーター打撃部a
１６  一般的ビーター打撃部b
１７  打撃部取り付けネジ
１８  アジャスタブルビーター  
１９  ビーターコアシャフト取り付けネジ山  
２０  コアビーター
２１  ビーターケース
２２  コアビーター固定ネジ    
２３  ビーターコアシャフト
２４  コアビーター固定用溝
２５  打撃部取り付けネジ山
２６  打撃部a
２７  打撃部b
２８  ビーターコアシャフト収納用ネジ山
２９  ドラムペダル